(57)【要約】【課題】新しい骨組みを備えた大型簡易建物を開発する【解決手段】断面八角形の管材を用いて構築した簡易建物。【選択図】図１
2019213568.tif 000002
【特許請求の範囲】
【請求項１】
断面八角形の管材を用いて構築したことを特徴とする簡易建物。
【請求項２】
農業用温室であることを特徴とする請求項１記載の簡易建物。
【請求項３】
両側に立設された柱部材と頂部と両側の柱部材を連結するアーチ部材を備えており、各
材が断面八角形の管材であることを特徴とする請求項１又は２記載の簡易建物。
【請求項４】
一方のアーチ部材の下部と他方のアーチ部材の上部をクロスタイバーで連結することを
特徴とする請求項１〜３のいずれかに記載の簡易建物。
【請求項５】
両側のアーチ部材の部位間に水平タイバーを設けたことを特徴とする請求項４記載の簡
易建物。
【請求項６】
アーチ部材とクロスタイバーを斜めタイバーで連結し、水平タイバーと建物頂部とを垂
直タイバーで連結したことを特徴とする請求項５記載の簡易建物。
【請求項７】
断面八角形の管材の接合部材が接合用鞘管であることを特徴とする請求項１〜６のいず
れかに記載の簡易建物。
【請求項８】
結合片を有する接合用鞘管を柱部材とアーチ部材の接合に用い、結合片とクロスタイバ
ーを軸着したことを特徴とする請求項１〜７のいずれかに記載の簡易建物。
【請求項９】
簡易建物頂部に棟木を備え、棟木から地際にかけて複数の桁部材を奥行き方向に設け、
アーチ部分に上部筋交いを設け、立設された柱材部分に側部筋交いを設けたことを特徴と
する請求項１〜８のいずれかに記載の簡易建物。
【請求項１０】
作耕土壌より下層に杭を設けて必要な引き抜き耐力を備えたことを特徴とする請求項１
〜９のいずれかに記載の簡易建物。
【発明の詳細な説明】
【技術分野】
【０００１】
本発明は、植物栽培用温室や簡易倉庫に関する。特に、大型パイプハウスに適した技術
である。
【背景技術】
【０００２】
温室栽培は、施設農業として、注目されており、普及している。
特に、日本農業の抱える構造的課題、農業の再生、競争力強化が農業に求められている
。農商工連、六次産業化、ＴＰＰ、企業の参入など変革点にある。市場から農業の産業化
として、品質の安定化、出荷数量の安定化、周年供給など要素の充足が求められている。
農産物を生産し供給サイドから見ると、このような３要素を充足することができれば、安
定した売り先（市場）を確保でき、経営の安定化を計ることができるようになって、家業
から事業へ転換でき、産業として成長することが期待できる。
温室栽培は、天候変動の影響を緩和して、栽培環境をコントロールし、計画栽培、安定
出荷の手段として有効である。農業の課題を解決する技術的に有効な手段の1つである。
【０００３】
施設栽培用の温室の大型化が求められており、各種提案されている。
例えば、特許文献１（特許第５３９９６７６号公報）には、連棟式の農業用温室が提案
されている。隣接する温室の側面を連結して、隣接する温室間を農業機械等が移動できる
ように工夫がなされている。
特許文献２（特許第５６０７８１３号公報）には、大小異なるアーチ材を交互に配置し
て積雪などに対する耐久性を備えた簡易建物が提案されている。
特許文献３（登録実用新案第３０２６０９９号公報）には、アーチ状骨組みを二重に構
成した温室が提案されている。
特許文献４（特許第４６４６３２２号公報）には、アーチ材を平面視でＸ状に交差させ
、上下２段に設けた桁材で接合した骨組みを備えた温室が提案されている。
特許文献５（特許第３９８６００２号公報）には、柱材を二重に構成した大型パイプハウスが提案されている。
これらの提案された温室は、断面円形のパイプ材を基本材としている。パイプ材の外、
ガラス温室などには鉄骨材なども使用されている。
連棟によって、広い栽培面積を実現できるが、棟間に支柱があって、機器の移動の障害
となり、また、排水用樋など接続構造が複雑であって谷間に雪が溜まり、積雪に対する抵
抗性が弱い構造である。断面円形パイプ材では、大小のアーチ材を組み合わせることによ
って、温室の側壁部に利用できない部分が発生する。
【先行技術文献】
【特許文献】
【０００４】
【特許文献１】特許第５３９９６７６号公報
【特許文献２】特許第５６０７８１３号公報
【特許文献３】登録実用新案第３０２６０９９号公報
【特許文献４】特許第４６４６３２２号公報
【特許文献５】特許第３９８６００２号公報
【発明の概要】
【発明が解決しようとする課題】
【０００５】
本発明は、新しい骨組みを備えた大型簡易建物を開発することを目的とする。
【課題を解決するための手段】
【０００６】
（１）断面八角形の管材を用いて構築したことを特徴とする簡易建物。
（２）農業用温室であることを特徴とする（１）記載の簡易建物。
（３）両側に立設された柱部材と頂部と両側の柱部材を連結するアーチ部材を備えており
、各材が断面八角形の管材であることを特徴とする（１）又は（２）記載の簡易建物。
（４）一方のアーチ部材の下部と他方のアーチ部材の上部をクロスタイバーで連結するこ
とを特徴とする（１）〜（３）のいずれかに記載の簡易建物。
（５）両側のアーチ部材の部位間に水平タイバーを設けたことを特徴とする（４）記載の
簡易建物。
（６）アーチ部材とクロスタイバーを斜めタイバーで連結し、水平タイバーと建物頂部と
を垂直タイバーで連結したことを特徴とする（５）記載の簡易建物。
（７）断面八角形の管材の接合部材が接合用鞘管であることを特徴とする（１）〜（６）
のいずれかに記載の簡易建物。
（８）結合片を有する接合用鞘管を柱部材とアーチ部材の接合に用い、結合片とクロスタ
イバーを軸着したことを特徴とする（１）〜（７）のいずれかに記載の簡易建物。
（９）簡易建物頂部に棟木を備え、棟木から地際にかけて複数の桁部材を奥行き方向に設
け、アーチ部分に上部筋交いを設け、立設された柱材部分に側部筋交いを設けたことを特
徴とする（１）〜（８）のいずれかに記載の簡易建物。
（１０）作耕土壌より下層に杭を設けて必要な引き抜き耐力を備えたことを特徴とする（
１）〜（９）のいずれかに記載の簡易建物。
【発明の効果】
【０００７】
断面八角形の管材を構造材として使用することにより、間口が広く、軒高の高い簡易建
物を提供することができた。農業用栽培用ハウスの大型化ができ、栽培作業性の向上、大
型農業機械の使用、栽培空間の活用、高度な施設機器を導入することができる。妻側に設
ける出入り口の開口も大きくでき、農業機械や資材を大型化することができる。
断面八角形の管材は管材自体の強度が高く、面を利用することにより、管の長手方向接
合や他部材との結合において、拘束が効き、丸形よりもねじれを防止できる。
クロスタイバーなどの補助構造を設けることにより、耐久性を向上させることができる
。特に、大量の積雪にも対応できる強度を実現できた。
八角形の管材同士を接合する鞘管を接合材に用いることにより、簡単に接合することが
できる。特に、クロスタイバーとの結合片を備えた接合材によって、大きな変形応力に耐
える構造を実現できた。間口１０ｍ以上の耐雪性に優れたパイプ温室が実現できた。
【図面の簡単な説明】
【０００８】
【図１】実施例である高耐久性の簡易建物の断面構造を示す概略図
【図２】実施例である高耐久性の簡易建物の出入り口側妻面構造を示す概略図
【図３】実施例である高耐久性の簡易建物の側面構造を示す概略図
【図４】実施例である高耐久性の簡易建物の屋根面構造を示す概略図
【図５】実施例である高耐久性の簡易建物の平面を示す概略図
【図６】断面八角形の管材を示す図
【図７】接合用鞘管の例を示す図
【図８】本発明の簡易建物の断面構造例を示す図。
【図９】荷重変位試験の概略図
【図１０】荷重変位試験の結果を示すグラフの図
【発明を実施するための形態】
【０００９】
本発明の簡易建物は、基本構造材として断面八角性の管材を用いて形成する。
基本断面構成は、八角管材を左右の柱部材とし、その上部に八角管材をアーチ部材とし
て接続し、頂部でアーチ部材同士を接続して、基本断面を構成する。これらの接続は、接
続用鞘官や差込棒材を用いる。鞘官には、タイバーなどとの接続片を取り付けることがで
きる。さらに、建物に加わる高さ方向の圧縮や左右変形の耐久性を向上させるタイバーを
必要に応じて配置する。
この断面構造を１つのフレームとして、温室の奥行き方向に所定間隔で立設し、棟木や
桁を奥行き方向に配置して、接続する。さらに、筋交いなどの斜行材を設けて、耐久性を
向上させる。杭支持構造によって、建物の大型化に伴い増大する転倒防止効果を向上させ
る。
【００１０】
妻側には、出入り口を設け、屋根には開閉できる天窓を必要に応じて設ける。
タイバーの配置を工夫することにより、耐久性を向上させることができ、積雪や風など
の気象条件に応じた設計をすることができる。本発明では、間口１０ｍ以上、軒高２．５
ｍ以上の大きさで、耐雪荷重５０ｋｇ／ｍ2を実現することができる。耕作土壌よりも下
層の安定した土層に杭を設定して、軽量である簡易建物の安定性を向上させる。
本発明の簡易建物は、主に、植物栽培に用いられる農業用ビニール温室に適用される。
温室の外、収穫後の選別、包装作業、農作業用機器や栽培資材の簡易倉庫に使用すること
もできる。
【００１１】
［実施態様］
図１〜５に、本発明の簡易建物の一例である大型パイプハウスの例を示す。
図１は断面構造を示し、図２は出入り口側妻面構造を示し、図３は簡易建物の側面構造
を示し、図４は屋根面構造を示し、図５は平面を示す概略図である。
本例の大型パイプハウスは、図１に示す断面構造を有するフレームを所定間隔、例えば
１００ｃｍを置いて配設し、図２に示す出入り口を設けた妻面と出入り口の無い妻面を両
端に配置し、棟木及び桁材を通して基本外郭が構成されている。この基本外郭に合成樹脂
シートを張って、栽培用温室などを構築する。
本実施例では、柱部材、アーチ部材、桁材など主要な構造材として、断面八角形の管材
が用いられる。管材の材質は、従来と同様に鋼管あるいはアルミニウム管が用いられる。
【００１２】
図１は、基本単位であるフレームの断面構造を示している。
柱部材１１を左右に立設し、この柱部材の上端側にアーチ部材１２を接続し、左右のア
ーチ部材１２、１２を接続して、外周フレームが構成される。これらの接続には、鞘管に
構成されたジョイント部材が用いられている。柱部材１１は、やや内側に傾斜して設けら
れる。
この外周フレームを補強するタイバーが左右方向に配置される。タイバーは、補強の程
度に応じて設けられるものであって、本例に限定されるものではない。
クロスタイバー２１が一方のアーチ部材１２の下部と他方のアーチ部材１２の上部を連
結している。２本のクロスタイバーの交差部は連結して、相互の変形を防止する。
水平タイバー２２が左右のアーチ部材１２、１２を水平方向に連結している。水平位置
はクロスタイバー２１が設けられる場合は、クロスタイバーの上端側連結部付近が適して
いる。クロスタイバー上端連結部に設けることによってクロスタイバー上端に集中する応
力による変形を防止することができる。
【００１３】
垂直タイバー２３が頂部から垂下して水平タイバー２２と接続する。垂直方向に負荷さ
れる分力に対する抵抗性が高まる。
斜めタイバー２４をアーチ部材１２の中間部とクロスタイバーの２１の中間部を連結す
るように設ける。アーチ部材側に中間位置は、クロスタイバーの上下の接続箇所の中間付
近である。クロスタイバー側の中間位置は、交差部と下端との中間である。斜めタイバー
は、それぞれの中間位置に接続されることにより、変形を抑える中間接続部材である。
本例では、アーチ部材に対する水平タイバーと斜めタイバーの取付け位置は、アーチ部
材の長手方向にほぼ三分する位置としている。この位置に奥行き方向の桁部材を配置して
いる。
クロスタイバーは、大きな負荷がかかるので柱部材やアーチ部材と同様に八角形の管材
を使用することが好ましい。他のタイバーは、八角形管材あるいは丸形管材を用いること
ができる。
【００１４】
図７にジョイント用の鞘管の例を示す。鞘管は、鞘管構造であるので、断面八角形の管
材が挿入される内面八角形の筒状体である。
図７（ａ）は、肩部ジョイント部材４１を示している。柱部材１１とアーチ部材１２が
「く」の字状に屈曲して連結されるので、鞘管も同様に屈曲している。肩部ジョイント部
材４１は、鞘管本体４６と鞘管本体上部に溶接などによって取り付けられた結合片４１ａ
、鞘管の上下部にビス穴４５が設けられている。結合片４１ａにはクロスタイバー２１の
下端部を結合する取付孔４１ｂが設けられている。クロスタイバーの下端と結合片は、双
方の穴にボルトなどを装着して、軸着する。クロスタイバーの下端側結合部には大きな応
力がかかるので、締め付けるクランプ式の結合よりも軸着の方が高い安全性を示す。クロ
スタイバーに用いる管材の先端部は押圧して扁平に形成することにより、接合部の強度を
向上させることができる。
初め、八角管材の外周を締め込むクランプを用いてクロスタイバーと肩部ジョイント部
材を結合したが、大きな荷重をクロスタイバーにかけると、クランプが変形するなどの弊
害が発生した。このため、クロスタイバーの先端を扁平に押圧し、肩部ジョイント部材に
は結合片を設けて、両者をボルトなどで軸着した方が、構造的に高強度が得られることが
判明した。
屈曲部には奥行き方向に水平に配置される桁部材を接合するためのクランプが設けられ
ている。
ビス穴４５は、挿入された柱部材の上部側あるいはアーチ部材１２の下部側のビス穴に
ビスを挿通して、これらの部材と肩部ジョイント部材の抜止用に設けられている。
図７（ｂ）は、妻側肩部ジョイント４４を示している。妻面にはクロスタイバーが不要
なので、肩部ジョイント部材４１から結合片４１ａを除いた構成となっている。
図７（ｃ）は、棟部ジョイント部材４２を示している。図示された棟部ジョイント部材
４２は、屋根傾斜にあわせて「く」の字状に屈曲している。必要に応じてビス穴が設けら
れる。
棟部ジョイント部材４２には、棟木を通すプレート４３が２枚設けられている。この例
は、天窓等を設けやすい、頂部上面側に棟木を配置する形式である。棟木を設けない場合
はプレートが不要であり、下面側に棟木を通す場合は、プレートあるいはクランプを屈曲
内面側に設ける。
【００１５】
図２に、出入り口を備えた妻面の構成を示す。妻面には妻柱と水平横木を配置して、格
子状の枠体を形成して、大面積の受けを構成する。下部中央部には出入り口となるドア枠
を設けてドア６を設ける。間口３００ｃｍ、高さ２５０ｃｍの開口部も可能であるので、
農業機械などの出入りする設備機器の大型化が可能であり、作用性の効率が上がる。
【００１６】
図３に、側面構造を示している。柱部材１１とアーチ部材１２からなる構造フレームが
、所定の間隔でパイプハウスの奥行き長さ分並べて立設されている。本例では、１００ｃ
ｍ程度の間隔である。
棟木を頂部長手方向に配置し、棟木から地際にかけて複数の桁部材を長手方向に設ける
。本例では、頂部の棟木からアーチ部桁部材３２ａ、３２ｂ、柱部桁部材３３ａ、３３ｂ
、地際桁部材３４が配置され、それぞれ、アーチ部材１２・・・、柱部材１１・・・・と
連結されている。
柱部桁部材３３ａは、軒高部に設けられる。具体的には、柱部材１１とアーチ部材１２
を接合する肩部ジョイント部材４１の屈曲部に設けられる。
柱部材は先端側が地面に打ち込まれている。打ち込まれた地際に地際桁部材３４を結合
する。パイプハウスが風で浮き上がり、倒伏する恐れがある場合は、さらに杭を併用して
、引き抜き対策をする。本発明の簡易建物は、大型であり、風圧も大きくなるので、杭を
設けることは引き抜き対策として、重要である。杭は地際桁部材３４に連結する。
棟木材は、八角形の管材を用いることもできるが、四角形の管材が天窓等の取付け支持
部材として適している。本実施例では、四角形管材を使用している。
桁部材とアーチ部材は八角形管材を使用する。
【００１７】
側面には、アーチ部分に上部筋交いを設け、柱部材部分に側部筋交いを設けて、パイプ
ハウスに対する捻れ変形に対する抵抗材とする。本実施例では、上部筋交いとして、アー
チ部筋交い３５、側部筋交いとして側面筋交い３６を設ける。これらの筋交いは、強度設
計に応じて、配置を決定する。筋交いは、交差する柱部材、アーチ部材と連結される。
桁部材、アーチ部材と柱部材は八角形の管材を用いることによって、面が結合における
拘束力を高めることとなり、パイプハウスの全体強度が向上する。
【００１８】
図４に屋根面構造を示す。中央に配置された棟木３１からアーチ部桁部材３２ａ、３２
ｂ、柱部桁部材が平行に設けられ、また、アーチ部筋交い３５が斜めに配置されている。
本例では、図面視で棟木の上方側に天窓７が設けられており、天窓の開閉側先端を受ける
天窓受け直管７２が設けられている。
【００１９】
図５に、建物内法の平面５を示す。柱部材が出入り無く、一列に並んでおり、妻側も出
入り口部に若干凹部が生ずるが、基本的には一列である。この結果、本発明では、栽培な
どの利用効率が高い。
【００２０】
図６に、断面八角形の管材を示す。
本発明では、主要な構造材として断面八角形の管材を使用する。
外面と内面が八角形である。八角形とすることにより、四方八方からの応力に対して均
等に対応できると共に、面を利用して、方向性を出すことができる。例えば、接合部材と
して、八角形の外面に挿入される内面八角の鞘管による長手方向の接合は、相互の捻れが
防止され、方向性を特定することができる。前述の肩部ジョイント部材４１に見られるよ
うに、鞘管の外面に結合片４１ａを溶接することが容易にできることとなり、結合片の方
向も特定することができる。丸管の場合は、溶接が線上になりむずかしく、かつ、挿管し
ても回転するので、安定性に欠ける。
また、管材同士の結合においてもクランプ材の廻り止めができる。
この八角パイプは、例えば、円形パイプを成形することにより製造することができる。
孔径、厚みは任意であるが、簡易建物に使用する八角パイプは、種類を少なくして共通化
することが好ましい。
例えば、短径３９．５mm、長径４２．３mm、厚み1.6mmの鋼製材で、引張強度５９０Ｎ
／ｍｍ2、ヤング率２０５０００Ｎ／ｍｍ2である。
材質は、鋼、アルミニウムなど一般的なパイプ素材を使用することができ、鋼材では防
錆用にメッキが施される。地中に埋め込む部分はさらに防錆用の塗装などを施すことが好
ましい。
この八角パイプは、長尺材であり、柱材、アーチ材など特定の長さに切断して準備され
る。
【００２１】
［他の実施態様］
図８に、本発明の簡易建物の断面構造例をＡ〜Ｅの５タイプ示す。
本発明は、間口１０ｍ以上の大きなパイプ構造の建物を実現できる。そして、タイバー
の補強構造を工夫することにより、５０ｋｇ／ｍ2以上の雪荷重にも十分に対応できる強
度が実現できることが確認されている。無積雪地域から積雪地方でも対応できるパイプ構
造である。
Ａタイプは、上記実施例に示した構造である。クロスタイバー、水平タイバー、斜めタ
イバー、垂直タイバーを設けることによって、合掌材やタイバーの挫屈を押さえることに
より、十分な耐雪性を発揮することができる。クロスタイバーの設置位置を肩部の屈曲部
よりも上に設けることにより、肩部より下の空間を十分に使用することができるので、高
い軒高を実現している。
Ｂタイプは、クロスタイバー、水平タイバーを設けている。Ａタイプよりも耐雪性は低
いが、広い空間は実現できるので、積雪が余り多くない場所で使用可能である。
Ｃタイプは、クロスタイバーを設けている。Ｂタイプよりも耐雪性は低いが、広い空間
は実現できるので、積雪が少ない場所で使用可能である。
Ｄタイプは、柱部材をアーチ部材で構成されており、タイバーを設けない例である。耐
雪性が低く、無積雪地に適している。
Ｅタイプは、クロスタイバーが、肩部よりも低い位置から同じ側面のアーチ部材の上方
に連結し、上部に水平タイバーとＶ形の斜めタイバーを設けている。このタイプは、十分
な耐雪性を実現できる。一方、肩部よりも低い位置である柱部材の中間にクロスタイバー
が設けられているので、利用性が制限される。中央部の高さは得られるので、中央部を高
く使用する形態には適している。
Ａ〜Ｄタイプは、柱部材の上端まで軒高として利用することが可能であり、２．５ｍ以
上を確保することができる。２．５〜３ｍ程度の高さを確保すると、背の高い植物の栽培
管理も容易にできる。例えば、上方に遮光ネットや、保温用シートを設けることができ、
これらの設備を設けても十分な作業高さが得られ、植物背丈も活かすことができる。
なお、５つのタイプを説明したが、本発明はこれに限るものでは無い。
【００２２】
［強度試験］
［載荷試験］
隣接する一組のフレーム間に１ｍ間隔で重りを吊して荷重を与え、鉛直方向の変位、両
肩部の変位を計測して水平方向の変位を計測した。図９参照。
試験モデル  ：Ａタイプ、間口１０．８ｍ、軒高２．５ｍ、棟高５．３ｍ、奥行き    
１０．０ｍである。
八角パイプ材：鋼材、外径４２．７ｍｍ、１．６タフ
外周被覆材  ：温室用樹脂フィルム
柱間隔      ：１ｍ
荷重条件    ：隣接する一対のフレームの中間に吊り荷重を負荷する。吊り間隔は、  
アーチ部に１ｍ間隔とした。荷重単位２．９２ｋｇの重り。
試験方法    ：加重用重りを０から順次増やしながら、３箇所の変位を計測した。その
結果を図１０に示す。
【００２３】
図１０に、載荷試験の結果をグラフに示す。
縦軸に変位量を示し、一箇所あたりの荷重を横軸に取っている。
鉛直方向の変位、左右の肩部の変位は、それぞれ荷重の増加に伴い大きくなるが、５５
．５ｋｇにおいて、８９．９ｍｍ、３１．６ｍｍ、４２．８ｍｍを示している。パイプハ
ウスとしては、許容範囲の変位に納まっていることが確認できた。
【００２４】
＜考察＞
日本施設園芸協会にて定められている変形限界は、高さ方向のたわみが間口の６０分の
１以下（≦間口Ｌ／６０）、柱上端の水平方向への倒れが３５分の１以下（≦軒高ｈ／３
５）とされている。
間口１０．８ｍ、軒高２．５ｍとすると、基準値はそれぞれ、１８０．０ｍｍ、７１．
４ｍｍが上限となる。
本試験結果は、十分に５０ｃｍ以上の積雪に耐え得ることが確認できた。なお、園芸基
準では、積雪１ｃｍあたり１ｋｇと設定している。
この試験のほか、Ｂ〜Ｅの各タイプについても、載荷加重試験をおこなって、耐久性に
ついて知見を得ている。建物を構築する場所に適した八角パイプを使用したパイプ構造を
設計することができる。
【００２５】
八角パイプを用いた間口１０．８ｍのＡタイプ建物について説明したが、部材を共通化
した規格サイズのパイプ温室は、積雪条件、立地地層条件に応じた、建物の構造を容易に
決定することができる。
本発明は、広く、高く、倒伏耐性を備えた耐久性の高い八角パイプ建物を構築すること
ができる。栽培用温室の柱材にＨ形鋼を使用する場合は、他に多くの種類の材料が必要と
なるが、八角パイプ材を用いることにより、少ない種類の材料で構築することができるの
で、組み立てが容易であり、費用も抑えることができる。
【符号の説明】
【００２６】
１  断面構造
２  妻面
３  側面
４  屋根面
５  平面
６  ドア
７  天窓
８  八角パイプ断面
１１  柱部材
１２  アーチ部材
２１  クロスタイバー
２２  水平タイバー
２３  垂直タイバー
２４  斜めタイバー  
３１  棟木
３２ａ、３２ｂ  アーチ部桁部材
３３ａ、３３ｂ  柱部桁部材
３４  地際桁部材
３５  アーチ部筋交い
３６  側面筋交い
４１    肩部ジョイント部材
４１ａ  結合片
４１ｂ  取付孔
４２  棟部ジョイント部材
４３  プレート（棟木用）
４４  妻側肩部ジョイント
４５  ビス穴
４６  鞘管本体
５２  クランプ
７２  天窓受け直管
Ｗ    間口
Ｈ１  棟高
Ｈ２  軒高
Ｄ    奥行
【図１】
2019213568.tif 000003
【図２】
2019213568.tif 000004
【図３】
2019213568.tif 000005
【図４】
2019213568.tif 000006
【図５】
2019213568.tif 000007
【図６】
2019213568.tif 000008
【図７】
2019213568.tif 000009
【図８】
2019213568.tif 000010
【図９】
2019213568.tif 000011
【図１０】
2019213568.tif 000012
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
両側に立設された柱部材と、両側の柱部材の上部に肩部ジョイント部材を介して接合されるアーチ部材であって、両側のアーチ部材が頂部で棟部ジョイント部材を介して接合されるアーチ部材を備えたフレームが列設されており、柱部材とアーチ部材が断面八角形の鋼管製の管材である簡易建物であって、 肩部ジョイント部材と棟部ジョイント部材は、断面八角形の接合用鞘管であり、 肩部ジョイント部材は、屈曲しており、上部の内側の平面部に結合片を有し、 棟部ジョイント部材は、中央部で屈曲していることを特徴とする簡易建物。
【請求項２】
軒高が、立ち作業ができる以上の高さであることを特徴とする請求項１記載の簡易建物。
【請求項３】
妻面には、間口３００ｃｍ以上の開口部を有することを特徴とする請求項１又は２記載の簡易建物。
【請求項４】
一方のアーチ部材の下部と他方のアーチ部材の上部をクロスタイバーで連結することを特徴とする請求項１〜３のいずれかに記載の簡易建物。
【請求項５】
両側のアーチ部材の部位間に水平タイバーを設けたことを特徴とする請求項４記載の簡易建物。
【請求項６】
アーチ部材とクロスタイバーを斜めタイバーで連結し、水平タイバーと建物頂部とを垂直タイバーで連結したことを特徴とする請求項５記載の簡易建物。
【請求項７】
同じ側の柱部材とアーチ部材間にクロスタイバーが設置され、両側のアーチ部材の部位間に水平タイバーが設けられており、水平タイバーの中央部から両側のアーチ部材に対してＶ形の斜めタイバーが設けられていることを特徴とする請求項１又は２記載の簡易建物。
【請求項８】
簡易建物頂部に棟木を備え、棟木から地際にかけて複数の桁部材を奥行き方向に設け、アーチ部分に上部筋交いを設け、立設された柱材部分に側部筋交いを設けたことを特徴とする請求項１〜７のいずれかに記載の簡易建物。
【請求項９】
作耕土壌より下層に杭を設けて必要な引き抜き耐力を備えたことを特徴とする請求項１〜８のいずれかに記載の簡易建物。 
【手続補正２】
【補正対象書類名】明細書
【補正対象項目名】０００６
【補正方法】変更
【補正の内容】
【０００６】（１）両側に立設された柱部材と、両側の柱部材の上部に肩部ジョイント部材を介して接合されるアーチ部材であって、両側のアーチ部材が頂部で棟部ジョイント部材を介して接合されるアーチ部材を備えたフレームが列設されており、柱部材とアーチ部材が断面八角形の鋼管製の管材である簡易建物であって、 肩部ジョイント部材と棟部ジョイント部材は、断面八角形の接合用鞘管であり、 肩部ジョイント部材は、屈曲しており、上部の内側の平面部に結合片を有し、 棟部ジョイント部材は、中央部で屈曲していることを特徴とする簡易建物。（２）軒高が、立ち作業ができる以上の高さであることを特徴とする（１）記載の簡易建物。（３）妻面には、間口３００ｃｍ以上の開口部を有することを特徴とする（１）又は（２）記載の簡易建物。（４）一方のアーチ部材の下部と他方のアーチ部材の上部をクロスタイバーで連結することを特徴とする（１）〜（３）のいずれかに記載の簡易建物。（５）両側のアーチ部材の部位間に水平タイバーを設けたことを特徴とする（４）記載の簡易建物。（６）アーチ部材とクロスタイバーを斜めタイバーで連結し、水平タイバーと建物頂部とを垂直タイバーで連結したことを特徴とする（５）記載の簡易建物。（７）同じ側の柱部材とアーチ部材間にクロスタイバーが設置され、両側のアーチ部材の部位間に水平タイバーが設けられており、水平タイバーの中央部から両側のアーチ部材に対してＶ形の斜めタイバーが設けられていることを特徴とする（１）又は（２）記載の簡易建物。（８）簡易建物頂部に棟木を備え、棟木から地際にかけて複数の桁部材を奥行き方向に設け、アーチ部分に上部筋交いを設け、立設された柱材部分に側部筋交いを設けたことを特徴とする（１）〜（７）のいずれかに記載の簡易建物。（９）作耕土壌より下層に杭を設けて必要な引き抜き耐力を備えたことを特徴とする（１）〜（８）のいずれかに記載の簡易建物。